(57)【要約】  携帯端末は、本体と、本体に設けられ、操作ボタンが設定されるタッチパネルとを備え、本体が振動を受ける所定条件が成立した場合に、タッチパネル上の操作ボタンのサイズ、操作ボタンに付される文字又は記号のサイズ、操作ボタンの色又は輝度、及び、操作ボタンを操作したときの応答音、のうちの少なくともいずれか１つを変更することを特徴とする。
2013088560.tif 000002
【特許請求の範囲】
【請求項１】
本体と、
前記本体に設けられ、操作ボタンが設定されるタッチパネルとを備え、
前記本体が振動を受ける所定条件が成立した場合に、前記タッチパネル上の操作ボタンのサイズ、操作ボタンに付される文字又は記号のサイズ、操作ボタンの色又は輝度、及び、操作ボタンを操作したときの応答音、のうちの少なくともいずれか１つを変更することを特徴とする、携帯端末。
【請求項２】
前記本体が振動を受ける所定条件が成立した場合に、前記タッチパネル上の操作ボタンのサイズを大きくする、請求項１に記載の携帯端末。
【請求項３】
前記本体が振動を受ける所定条件は、前記本体が車室内に位置することが検出された場合を含む、請求項１又は２に記載の携帯端末。
【請求項４】
前記本体が振動を受ける所定条件は、前記本体が移動中であることが検出された場合を含む、請求項１又は２に記載の携帯端末。
【請求項５】
前記操作ボタンは、外部の機器を操作するための操作ボタンである、請求項１〜４のうちのいずれか１項に記載の携帯端末。
【請求項６】
前記操作ボタンの機能は、外部との通信により変更可能である、請求項１〜５のうちのいずれか１項に記載の携帯端末。
【発明の詳細な説明】
【技術分野】
【０００１】
本発明は、操作ボタンが設定されるタッチパネルを備える携帯端末に関する。
【背景技術】
【０００２】
従来から、タッチパネルを備えた携帯電話であって、タッチパネルの操作信号を送信することにより各種機器の操作が行われる携帯電話が知られている（例えば、特許文献１参照）。
【先行技術文献】
【特許文献】
【０００３】
【特許文献１】特開２００６−０４２１２３号公報
【発明の概要】
【発明が解決しようとする課題】
【０００４】
ところで、この種のタッチパネルでは、典型的には、複数の操作ボタンが設定されており、ユーザは、タッチパネル上で複数の操作ボタンのうちから所望の操作ボタンを操作して、所望の機能を実現する。しかしながら、例えばユーザが歩きながら携帯端末を操作する場合や、ユーザが車室内で携帯端末を操作する場合等、携帯端末の振動（揺れ）に起因してユーザが操作ボタンを誤操作しやすくなる虞がある。【０００５】
そこで、本発明は、携帯端末の振動に起因したユーザの操作ボタンの誤操作を適切に防止することができる携帯端末の提供を目的とする。
【課題を解決するための手段】
【０００６】
本発明の一局面によれば、本体と、
前記本体に設けられ、操作ボタンが設定されるタッチパネルとを備え、
前記本体が振動を受ける所定条件が成立した場合に、前記タッチパネル上の操作ボタンのサイズ、操作ボタンに付される文字又は記号のサイズ、操作ボタンの色又は輝度、及び、操作ボタンを操作したときの応答音、のうちの少なくともいずれか１つを変更することを特徴とする、携帯端末が提供される。
【発明の効果】
【０００７】
本発明によれば、携帯端末の振動に起因したユーザの操作ボタンの誤操作を適切に防止することができる携帯端末が得られる。
【図面の簡単な説明】
【０００８】
【図１】一実施例（実施例１）による車載装置１と携帯端末５０とを含むシステム構成を示す図である。
【図２】図１に示すシステムにより実現される主要処理の一例を示すフローチャートである。
【図３】車両の振動状態に応じたリモコン操作画面の一例を示す図であり、（Ａ）は低振動状態でのリモコン操作画面の一例を示す図である。
【図４】一実施例（実施例２）による車載装置１と携帯端末５０とを含むシステム構成を示す図である。
【図５】本実施例の携帯端末５０’により実現される主要処理の一例を示すフローチャートである。
【図６】シートリクライニング装置を操作するときの車載装置１と携帯端末５０の主要な動作の一例を示すフローチャートである。
【図７】（Ａ）携帯端末５０の表示部５０ａに表示されるシートリクライニング装置操作用のリモコン操作画面の一例と、（Ｂ）ディスプレイ２０に表示されるガイド画面の一例を示す図である。
【図８】シートリクライニング装置を操作するときの車載装置１と携帯端末５０の主要な動作の他の一例を示すフローチャートである。
【発明を実施するための形態】
【０００９】
以下、図面を参照して、本発明を実施するための最良の形態の説明を行う。
【００１０】
図１は、一実施例（実施例１）による車載装置１と携帯端末５０とを含むシステム構成を示す図である。
【００１１】
車載装置１は、車両に搭載される。車載装置１は、ＥＣＵ（電子制御装置）１０を中心として構成される。ＥＣＵ１０は、図示しないバスを介して互いに接続されたＣＰＵ、ＲＯＭ、及びＲＡＭ等からなるマイクロコンピュータとして構成されている。ＲＯＭには、ＣＰＵが実行する各種プログラムが格納されている。
【００１２】
ＥＣＵ１０には、ディスプレイ２０が接続される。尚、ＥＣＵ１０とディスプレイ２０との接続は、有線であっても無線であってもよく、また、直接的な態様であっても間接的な態様であってもよい。また、ＥＣＵ１０の機能の一部又は全部がディスプレイ２０内の処理装置（図示せず）により実現されてもよい。
【００１３】
ディスプレイ２０は、液晶ディスプレイやＨＵＤ（ヘッドアップディスプレイ）のような任意の表示装置であってよい。また、ディスプレイ２０は、タッチ操作可能なタッチパネルディスプレイであってもよいし、タッチ操作不能なディスプレイであってもよい。ディスプレイ２０は、車室内の適切な位置（例えば、インストルメントパネルの中央部下側）に配置される。
【００１４】
ディスプレイ２０は、使用中のアプリケーションに応じて、任意の情報を出力するものであってよい。例えば、ディスプレイ２０は、ナビゲーション装置の地図画像、ＤＶＤの再生情報、ＴＶ、車載カメラの映像等を出力してもよい。
【００１５】
ＥＣＵ１０には、通信装置３０が接続される。通信装置３０は、携帯端末５０と通信して各種情報のやり取りを行う。尚、通信方式は、任意であり、例えばBluetooth（登録商標）が使用されてもよい。また、通信装置３０と携帯端末５０との間の通信は、必ずしも無線である必要はなく、有線で実現されてもよい。
【００１６】
ＥＣＵ１０には、車両の振動を検出する加速度センサ４０が接続される。加速度センサ４０は、専用のセンサであってもよいが、例えば車両安定化制御や電子制御サスペンション等で使用されるセンサであってよい。また、車両の振動を検出するために、加速度センサ４０に代えてジャイロセンサが使用されてもよい。
【００１７】
ＥＣＵ１０には、制御対象機器４２が接続される。制御対象機器４２は、後述の如く携帯端末５０を介して操作可能とされる車載の任意の電子機器（システムを含む）であってよい。例えば、制御対象機器４２は、オーディオ装置、ＴＶ，ＤＶＤ再生装置，ナビゲーション装置、空調装置、シートリクライニング装置等を含んでよい。
【００１８】
携帯端末５０は、ユーザにより車内に持ち込まれるタイプの端末であってもよい。即ち、携帯端末５０は、所持されたユーザと共に移動する端末であってよい。或いは、携帯端末５０は、車室内に備え付けられる端末であってもよい。
【００１９】
携帯端末５０は、表示部５０ａを備える。表示部５０ａは、タッチパネルディスプレイにより構成される。尚、タッチ操作の検出態様は、任意であり、静電式であってもよいし、感圧式であってもよい。携帯端末５０は、通信装置３０と通信して各種情報のやり取りを行う。携帯端末５０は、スマートフォンを含む携帯電話や、タブレットのような携帯端末であってよい。
【００２０】
携帯端末５０は、処理装置５０ｂを備える。処理装置５０ｂは、表示部５０ａにおける操作画面（以下、リモコン操作画面という)を生成する。処理装置５０ｂは、スマートフォンで普及している任意のＯＳ（例えば、iOSやAndroid等）に基づき動作するものであってよく、後述するように、所与のアプリケーションソフトウェア又は外部からダウンロードされるアプリケーションソフトウェア等に基づいて、表示部５０ａにおけるリモコン操作画面を生成する。
【００２１】
図２は、図１に示すシステムにより実現される主要処理の一例を示すフローチャートである。本処理ルーチンは、車両のイグニッションスイッチがオンである間、所定周期毎に繰り返し実行されてもよい。
【００２２】
ステップ２００では、車載装置１のＥＣＵ１０は、加速度センサ４０の出力に基づいて、車両の振動状態に変化があったか否かを判定する。例えば、車両の振動状態に変化は、低振動状態と高振動状態との間の変化であってよい。この場合、加速度センサ４０の出力が所定値未満の場合には、低振動状態と判定し、加速度センサ４０の出力が所定値以上の場合に、高振動状態と判定してもよい。所定値は、後述の如く携帯端末５０での表示部５０ａでのリモコン操作（タッチ操作）の操作性を悪化させうる最小振動レベルに対応してよく、実験等により適合されてもよい。また、この低振動状態と高振動状態との間の変化の判定ロジックには、チャッタリングを防止するために、ヒステリシスが設定されてもよい。
【００２３】
本ステップ２００において、車両の振動状態に変化があった場合には、ステップ２０２に進み、車両の振動状態に変化がない場合には、そのまま終了する。
【００２４】
ステップ２０２では、車載装置１のＥＣＵ１０は、車両の振動状態の変化に応じて、表示部品を変更する。ここで、表示部品とは、携帯端末５０の表示部５０ａにおけるリモコン操作画面を生成するために必要な構成であり、ソフトウェアやデータ等を含んでよい。従って、表示部品が変更されると、携帯端末５０の表示部５０ａにおけるリモコン操作画面も変更されることになる。例えば、表示部品は、リモコン操作画面における各操作ボタンの位置、大きさ、色、形状、各操作ボタンに付される文字、各操作ボタンを操作したときの応答音等のような操作ボタン構成に関して規定するものであってよい。また、表示部品は、各操作ボタンが操作されたときに生成されるべき各操作信号のような情報表現に関して規定するものであってよい。表示部品は、低振動状態用と高振動状態用とで予めそれぞれ用意されてよい。また、表示部品は、制御対象機器４２毎に予め用意されてよい。これら予め用意された表示部品は、ＥＣＵ１０内のメモリ（例えばＲＯＭ）等に記憶されてもよい。また、表示部品は、通信装置３０を介して外部（例えば外部サーバー）との通信により取得されてもよいし、他のインタフェースを介して外部から取得されてもよい。
【００２５】
本ステップ２０２において、車載装置１のＥＣＵ１０は、表示部品を変更すると、変更後の表示部品を通信装置３０を介して携帯端末５０に送信する。
【００２６】
ステップ２０４では、携帯端末５０の処理装置５０ｂは、車載装置１から送られてきた表示部品に基づいて、表示部品を切り替える。即ち、処理装置５０ｂは、車載装置１から送られてきた表示部品に基づいて、表示部５０ａにおけるリモコン操作画面を切り替える。
【００２７】
このようにして図２に示す処理によれば、車両の振動状態の変化に応じて、携帯端末５０の表示部５０ａにおけるリモコン操作画面を切り替えることができる。これにより、携帯端末５０の表示部５０ａにおけるリモコン操作画面を車両の振動状態に応じた最適な画面にすることができ、操作性が向上する。
【００２８】
図３は、車両の振動状態に応じたリモコン操作画面の一例を示す図であり、（Ａ）は低振動状態でのリモコン操作画面の一例を示し、（Ｂ）は高振動状態でのリモコン操作画面の一例を示す。尚、図３に示す例では、表示部５０ａにおけるリモコン操作画面は、制御対象機器４２がＤＶＤ再生装置である場合のリモコン操作画面である。この際、ディスプレイ２０には、ＤＶＤ再生装置の状態等を示す画面が表示されてもよい。
【００２９】
低振動状態でのリモコン操作画面は、図３（Ａ）に示すように、例えば巻き戻し、再生、停止（一時停止）、早送りの４つの操作ボタン９０を含む。図３（Ａ）に示す例では、４つの操作ボタン９０は、携帯端末５０の表示部５０ａに横方向で一例に配置される。低振動状態でのリモコン操作画面における操作ボタン９０以外の領域は、他の情報を提示する領域であってよい。例えば、制御対象機器４２がＤＶＤ再生装置である場合、低振動状態でのリモコン操作画面における操作ボタン９０以外の領域には、再生中のＤＶＤのタイトル名や再生中のトラック番号などの付加情報や状態情報が表示されてもよい。
【００３０】
高振動状態でのリモコン操作画面は、図３（Ｂ）に示すように、低振動状態でのリモコン操作画面と同様の４つの操作ボタン９０を含む。しかしながら、高振動状態でのリモコン操作画面においては、各操作ボタン９０は、低振動状態でのリモコン操作画面における各操作ボタン９０よりもサイズが大きく設定される。ここで、操作ボタンのサイズとは、表示部５０ａにおける操作ボタン９０に対するタッチ操作が受け付けられる操作範囲（反応領域）のサイズに対応する。
【００３１】
ところで、携帯端末５０が車両に持ち込まれた場合に、車両が発生する振動により誤操作が発生する虞がある。即ち、操作者が携帯端末５０の表示部５０ａに指で触れて所望の操作ボタン９０を選択しようとしたときに、車両の振動が発生すると、当該振動に起因して、タッチ位置が意図した位置からずれて、意図しない他の操作ボタン９０を選択してしまう虞がある。
【００３２】
これに対して、図３に示すように、高振動状態の場合には、低振動状態の場合に比べて、リモコン操作画面における操作ボタン９０のサイズを大きく変更することで、車両の振動に起因した誤操作を防止することができ、操作性が向上する。
【００３３】
尚、図３（Ｂ）に示す例では、高振動状態の場合には、操作ボタン９０は、低振動状態の場合のリモコン操作画面における操作ボタン９０以外の領域にも配置されている。即ち、高振動状態の場合には、付加情報や状態情報等の表示が無くなり、操作ボタン９０が表示部５０ａの画面全体を用いて設定される。これにより、操作ボタン９０を最大限に拡大することができる。
【００３４】
尚、図３に示す例では、操作ボタン９０の数は４つであったが、１つのリモコン操作画面当たりの操作ボタン９０の数は任意である。また、高振動状態の場合と、低振動状態の場合とで、操作ボタン９０の数が異なってもよい。例えば、高振動状態の場合、低振動状態の場合よりも操作ボタン９０の数を少なくしつつ、その分だけ、残った操作ボタン９０のサイズを大きくしてもよい。また、操作ボタン９０の配列態様についても任意である。例えば、図３に示す例では、高振動状態の場合と、低振動状態の場合とで、操作ボタン９０の配列態様が異なる（図３（Ｂ）に示す例では、２列で２つずつ配置されている）が、配列態様自体は同一であってもよい。また、操作ボタン９０の機能についても、制御対象機器４２に応じて任意である。例えば、操作ボタン９０は、オーディオやＴＶの各種操作画面を呼び出すための入口ボタン（リストボタン）であってもよい。また、操作ボタン９０は、アプリケーションを起動するためのボタン（アイコン、ランチャ）であってもよい。また、操作ボタン９０は、５０音入力画面等のような操作画面における文字入力ボタンであってもよい。
【００３５】
また、図３に示す例では、高振動状態の場合に、低振動状態の場合に比べて、リモコン操作画面における操作ボタン９０のサイズを大きく変更することで、車両の振動に起因した誤操作を防止しているが、操作ボタン９０のサイズ以外の要素を変更することも可能である。即ち、操作ボタン９０のサイズ、操作ボタン９０に付される文字（記号も同様）のサイズ、操作ボタン９０の色や輝度、及び、操作ボタン９０を操作したときの応答音、のうちのいずれか１つ又はこれらの任意の２つ以上の組み合わせを変更してもよい。例えば、操作ボタン９０に付される文字（典型的には、操作ボタン９０の機能を示す文字又は記号）のサイズは、高振動状態の場合に、低振動状態の場合に比べて大きくなるように変更されてもよい。また、操作ボタンの色や輝度（周囲に対するコントラスト）は、高振動状態の場合に、低振動状態の場合に比べて視認性の高い色（例えば、赤色）や高い輝度に変更されてもよい。また、操作ボタン９０を操作したときの応答音は、高振動状態の場合に、低振動状態の場合に比べて大きくなるように変更されてもよい。この場合、高振動状態での振動音（ノイズ）により応答音が聞こえ難くなるのを防止することができる。
【００３６】
尚、本実施例では、加速度センサ４０（又はジャイロセンサ）を用いて車両の振動状態を検出しているが、簡易的な実施例では、車両の走行中は振動が大きくなることを考慮して、加速度センサ４０（又はジャイロセンサ）は、車両の走行状態を検出するセンサにより置換されてもよい。例えば、車速センサに基づいて、車両が走行中である場合に、高振動状態と判定し、車両が停止中である場合に、低振動状態と判定し、それぞれに応じたリモコン操作画面を実現してもよい。或いは、車両の停止中においても振動が大きくなることを考慮して、携帯端末５０が車室内に位置する場合に、高振動状態と判定し、操作ボタン９０のサイズを大きく変更してもよい。携帯端末５０が車室内に位置するか否かは、車載装置１側において携帯端末５０からの電波（通信）に基づいて判断されてもよい。
【００３７】
また、本実施例では、高振動状態と低振動状態とで２段階で振動状態を判定しているが、３段階以上で振動状態を判定してもよい。この場合、振動レベルが高くなるにつれて操作ボタン９０のサイズが段階的に大きくなるように変更されてもよい。操作ボタン９０に付される文字のサイズや色等についても同様である。
【００３８】
また、本実施例では、振動レベルを検出して操作ボタン９０のサイズを可変しているが、予め振動レベルが高くなる走行状況が予測できる場合には、かかる走行状況に至る前に操作ボタン９０のサイズを大きく変更しておいてもよい。例えば、ナビゲーション装置からの情報に基づいて未舗装の道路を走行することが予測される場合や、オフロード走行用のギア段にシフトレバーが入れられた場合や、カメラ等からの路面情報に基づいて段差の乗り越えが予測された場合に、事前に操作ボタン９０のサイズを大きく変更しておいてもよい。操作ボタン９０に付される文字のサイズや色等についても同様である。
【００３９】
図４は、他の一実施例（実施例２）による車載装置１’と携帯端末５０’とを含むシステム構成を示す図である。実施例２は、携帯端末５０’側に加速度センサ４０が搭載されている点が主に上述の実施例１と異なる。他の構成は同様であってよい。
【００４０】
加速度センサ４０は、携帯端末５０’の振動を検出する。同様に、携帯端末５０’の振動を検出するために、加速度センサ４０に代えてジャイロセンサが使用されてもよい。
【００４１】
図５は、本実施例の携帯端末５０’により実現される主要処理の一例を示すフローチャートである。本処理ルーチンは、車両のイグニッションスイッチがオンである間、所定周期毎に繰り返し実行されてもよい。
【００４２】
ステップ５００では、携帯端末５０’の処理装置５０ｂは、加速度センサ４０の出力に基づいて、携帯端末５０’の振動状態に変化があったか否かを判定する。例えば、携帯端末５０’の振動状態に変化は、低振動状態と高振動状態との間の変化であってよい。この場合、加速度センサ４０の出力が所定値未満の場合には、低振動状態と判定し、加速度センサ４０の出力が所定値以上の場合に、高振動状態と判定してもよい。所定値は、携帯端末５０での表示部５０ａでのタッチ操作を悪化させうる最小振動レベルに対応してよく、実験等により適合されてもよい。また、この低振動状態と高振動状態との間の変化の判定ロジックには、チャッタリングを防止するために、ヒステリシスを設けてもよい。
【００４３】
本ステップ５００において、携帯端末５０’の振動状態に変化があった場合には、ステップ５０２に進み、携帯端末５０’の振動状態に変化がない場合には、そのまま終了する。
【００４４】
ステップ５０２では、携帯端末５０’の処理装置５０ｂは、携帯端末５０’の振動状態の変化に応じて、表示部品を変更する。表示部品についての説明は、上述の実施例１の場合と同様であってよい。表示部品は、低振動状態用と高振動状態用とで予めそれぞれ用意されてよい。また、表示部品は、制御対象機器４２毎に予め用意されてよい。これら予め用意された表示部品は、携帯端末５０’内のメモリ（例えばＲＯＭ）等に記憶されてもよい。また、表示部品は、外部（例えば外部サーバーや載装置１）との通信により取得されてもよいし、他のインタフェースを介して外部から取得されてもよい。また、携帯端末５０’の振動状態の変化に応じた表示部品（リモコン操作画面）の変更態様についても、上述の実施例１による車両の振動状態の変化に応じた表示部品（リモコン操作画面）の変更態様と同様であってよい。
【００４５】
ステップ５０４では、携帯端末５０’の処理装置５０ｂは、変更後の表示部品に基づいて、表示部品を切り替える。即ち、処理装置５０ｂは、変更後の表示部品に基づいて、表示部５０ａにおけるリモコン操作画面を切り替える。
【００４６】
このようにして図５に示す処理によれば、上述の実施例１と同様、携帯端末５０’の振動状態の変化に応じて、携帯端末５０’の表示部５０ａにおけるリモコン操作画面を切り替えることができる。これにより、携帯端末５０’の表示部５０ａにおけるリモコン操作画面を携帯端末５０’の振動状態に応じた最適な画面にすることができ（図３参照）、操作性が向上する。
【００４７】
尚、本実施例では、加速度センサ４０（又はジャイロセンサ）を用いて携帯端末５０’の振動状態を検出しているが、簡易的な実施例では、携帯端末５０’の移動中（例えばユーザの歩行中）は振動が大きくなることを考慮して、加速度センサ４０（又はジャイロセンサ）は、携帯端末５０’の移動状態を検出するセンサにより置換されてもよい。例えば、携帯端末５０’内部のＧＰＳ受信機からの位置情報（及びその変化）に基づいて、携帯端末５０’が移動中である場合に、高振動状態と判定し、携帯端末５０’が停止中である場合に、低振動状態と判定し、それぞれに応じたリモコン操作画面を実現してもよい。
【００４８】
また、本実施例では、高振動状態と低振動状態とで２段階で振動状態を判定しているが、３段階以上で振動状態を判定してもよい。この場合、振動レベルが高くなるにつれて操作ボタン９０のサイズが段階的に大きくなるように変更されてもよい。操作ボタン９０に付される文字のサイズや色等についても同様である。
【００４９】
また、上述した実施例１と本実施例２の間の中間的な変形例として、携帯端末５０’側の加速度センサ４０（又はジャイロセンサ）の情報が車載装置１’側に送信され、車載装置１’側で携帯端末５０’の振動状態が判定されてもよい。この場合、判定した振動状態に応じて図２に示したステップ２００以降の処理が実行されてよい。
【００５０】
次に、制御対象機器４２がシートリクライニング装置である場合を例として、車載装置１と携帯端末５０との連動態様について説明する。尚、ここでは、上述の実施例１による構成を前提として説明を行うが、上述の実施例２による構成においても同様の連動態様を実現することができる。
【００５１】
図６は、シートリクライニング装置を操作するときの車載装置１と携帯端末５０の主要な動作の一例を示すフローチャートである。図７は、（Ａ）携帯端末５０の表示部５０ａに表示されるシートリクライニング装置操作用のリモコン操作画面の一例と、（Ｂ）ディスプレイ２０に表示されるガイド画面の一例を示す図である。
【００５２】
携帯端末５０の表示部５０ａには、リモコン選択画面が表示されている。リモコン選択画面は、複数の制御対象機器４２のうちから所望の制御対象機器４２を選択するための画面である。尚、表示部５０ａ上のリモコン選択画面は、リモコン操作画面の一例である。従って、リモコン選択画面に含まれる各種操作ボタン（各制御対象機器４２に対応する操作ボタン）についても上述の如く振動状態に応じてサイズ等が可変されてもよい。
【００５３】
ここでは、ユーザは、シートリクライニング装置を選択する場合を想定する（ステップ６００）。ユーザが表示部５０ａのリモコン選択画面のシートリクライニング装置に係る操作ボタンを選択すると、その旨の情報が送信され、車載装置１の通信装置３０を介してＥＣＵ１０に受信される。ＥＣＵ１０は、これに応答して、シートリクライニング装置操作用のリモコン操作画面を生成するための表示部品（リクライニング用表示部品）を生成する（ステップ６０２）。この際、ＥＣＵ１０は、車両の振動状態又は携帯端末５０の振動状態に応じた表示部品を生成してもよい。尚、表示部品は、上述の如く、各種予め生成され、メモリに記憶されていてよい。この場合、ＥＣＵ１０は、リクライニング用表示部品をメモリから読み出せばよい。車載装置１のＥＣＵ１０は、このようにして生成したリクライニング用表示部品を、通信装置３０を介して携帯端末５０に送信する。携帯端末５０の処理装置５０ｂは、車載装置１から送られてきたリクライニング用表示部品に基づいて、表示部品を切り替える（ステップ６０４）。即ち、処理装置５０ｂは、車載装置１から送られてきたリクライニング用表示部品に基づいて、表示部５０ａにおけるリモコン操作画面を切り替える。これにより、表示部５０ａには、図７（Ａ）に示すようなシートリクライニング装置操作用のリモコン操作画面が表示される。尚、図７（Ａ）に示す例では、シートリクライニング装置操作用のリモコン操作画面は、リクライニング（角度）調整用の操作ボタン９０ａ，９０ｂと、シートの前後位置調整用の操作ボタン９０ｃ，９０ｄとを含む。また、ディスプレイ２０には、図７（Ｂ）に示すように、表示部５０ａにおけるリモコン操作のガイド画面（リクライニング操作画面）が表示されてもよい。
【００５４】
ユーザがリモコン操作画面における操作ボタン９０ａ−ｄのうちの所望の操作ボタンを選択し操作すると（ステップ６０６）、それに応じた操作信号が送信され、車載装置１の通信装置３０を介してＥＣＵ１０に受信される。ＥＣＵ１０は、これに応答して、操作信号に応じた制御を実行する（ステップ６０８）。即ち、ＥＣＵ１０は、制御対象機器４２としてのシートリクライニング装置に制御信号を送信し、携帯端末５０で実行されたリモコン操作に対応する機能を実現する。例えば、操作ボタン９０ａが１回操作された場合には、ＥＣＵ１０は、リクライニング角が前傾方向に一段階変化するようにシートリクライニング装置を制御する。
【００５５】
図８は、シートリクライニング装置を操作するときの車載装置１と携帯端末５０の主要な動作の他の一例を示すフローチャートである。
【００５６】
図８に示す例は、図６に示した例に対して、ステップ８００の主体が車載装置１である点のみが異なる。具体的には、ディスプレイ２０には、リモコン選択画面が出力されている。リモコン選択画面は、複数の制御対象機器４２のうちから所望の制御対象機器４２を選択するための画面である。ここでは、ユーザは、シートリクライニング装置を選択する場合を想定する（ステップ８００）。ユーザが任意のユーザインターフェース（例えばタッチパネルディスプレイとしてのディスプレイ２０）を介してリモコン選択画面のシートリクライニング装置に係るボタンを選択すると、その旨の情報がＥＣＵ１０に受信される。ＥＣＵ１０は、これに応答して、シートリクライニング装置操作用のリモコン操作画面を生成するための表示部品（リクライニング用表示部品）を生成する（ステップ８０２）。以降のステップ８０４乃至８０８は、図６に示した処理のステップ６０４乃至６０８と実質的に同一であってよい。
【００５７】
尚、図６以降に示した例では、ユーザがシートリクライニング装置を選択する場合を想定しているが、当然ながら、ユーザは、他の制御対象機器４２を選択しうる。この場合、当該他の制御対象機器４２に応じた表示部品に基づいて、表示部５０ａにおけるリモコン操作画面が生成される。このようにして、携帯端末５０側では、予め各制御対象機器４２用のリモコン操作画面を生成する機能を有していなくても、車載装置１から供給される表示部品に基づいて、各制御対象機器４２用のリモコン操作画面を出力することができる。
【００５８】
以上、本発明の好ましい実施例について詳説したが、本発明は、上述した実施例に制限されることはなく、本発明の範囲を逸脱することなく、上述した実施例に種々の変形及び置換を加えることができる。
【００５９】
例えば、上述した実施例では、携帯端末５０（携帯端末５０’についても同様、以下同じ）の操作画面は、車載装置１をリモート操作するためのリモコン操作画面であったが、携帯端末５０自身を操作するための操作画面にも適用することができる。即ち、携帯端末５０自身を操作するための操作画面における操作ボタンについても、携帯端末５０の振動状態に応じてサイズ等が同様に可変されてもよい。例えば、携帯端末５０自身を操作するための操作画面における操作ボタンは、高振動状態の場合に低振動状態の場合に比べてサイズが大きくなるように変更されてもよい。
【００６０】
また、上述した実施例では、携帯端末５０は、車載装置１をリモート操作する機能を備えているが、車載装置１以外の他の外部の装置をリモート操作する構成を実現することも可能である。他の外部の装置としては、家庭用のＤＶＤ装置やＴＶ等を含んでよい。例えば、ユーザが歩きながら、家庭用のＤＶＤ装置の録画予約を行う場合には、高振動状態と判定されて、携帯端末５０の操作画面における操作ボタンはサイズが大きく変更されてもよい。また、この場合も、他の外部の装置に対応するリモコン操作画面を生成するための表示部品は、当該他の外部の装置から供給されてよい。
【００６１】
また、上述した実施例において、操作ボタン９０は、車載装置１（車載装置１’についても同様、以下同じ）が実装される車両の仕向け国に応じて配置や形状、文字の言語が変更されてもよい。これにより、仕向け国に応じた適切な操作ボタン９０の配置等を実現することができる。仕向け国の判断は、例えばＥＣＵ１０が取得できる車両情報等からの仕向け地情報に基づいて実現されてもよい。或いは、操作ボタン９０は、ユーザに応じて配置や形状等が変更されてもよい。これにより、ユーザの好み等に応じた操作ボタン９０の配置等を実現することができる。例えば、ユーザにより操作ボタン９０の配置等を変更設定可能とし、この設定状態をユーザ毎に保存することとしてよい。尚、ユーザの判断は、車載カメラを用いた画像処理や携帯端末５０から取得可能なＩＤ情報に基づいて実現されてもよい。
【００６２】
また、上述した実施例において、複数のアプリケーションに対する各リモコン操作画面を選択的に表示できる構成の場合、携帯端末５０の表示部５０ａのリモコン操作画面は、車載装置１が実装される車両の走行状況や周辺環境に応じて決定されてもよい。これは、車両の走行状況や周辺環境に応じて、使用するアプリケーションの頻度が異なるためである。車両の走行状況や周辺環境は、ナビゲーション装置からの情報や各種車載センサからの情報に基づいて判断されてもよい。例えば、高速道路を走行している場合には、長距離を走行する可能性が高いことを考慮し、ＨＤＤ操作用の操作画面や、ＤＶＤ再生装置操作用のリモコン操作画面が表示されてもよい。また、ＴＶ受信感度が良好である場合（例えば所定局以上の受信が可能な状態である場合）、ＴＶ操作用のリモコン操作画面が表示されてもよい。
【００６３】
また、上述した実施例において、複数のアプリケーションに対する各リモコン操作画面を選択的に表示できる構成の場合、携帯端末５０の表示部５０ａのリモコン操作画面は、ユーザの行動パターンの学習結果に基づいて、決定されてもよい。例えば、あるユーザについて、３０分以上走行状態が継続して、且つ、目的地まで更に３０分以上かかると想定される場合にマッサージを行う傾向がある場合、本条件が成立した場合に、シートマッサージ用のリモコン操作画面が表示されてもよい。
【００６４】
また、上述した実施例において、操作ボタン９０は押しボタンであったが、マウスのホイールに対する操作のように指を動かして操作する回転式のボタン等のような他の操作態様のボタンであってよい。
【符号の説明】
【００６５】
１、１’    車載装置
１０    ＥＣＵ
２０    ディスプレイ
３０    通信装置
４０    加速度センサ
４２    制御対象機器
５０、５０’    携帯端末
５０ａ    表示部
５０ｂ    処理装置
９０（９０ａ−９０ｄ）    操作ボタン
【図１】
2013088560.tif 000003
【図２】
2013088560.tif 000004
【図３】
2013088560.tif 000005
【図４】
2013088560.tif 000006
【図５】
2013088560.tif 000007
【図６】
2013088560.tif 000008
【図７】
2013088560.tif 000009
【図８】
2013088560.tif 000010
【国際調査報告】
2013088560.tif 000011
2013088560.tif 000012
2013088560.tif 000013
2013088560.tif 000014
2013088560.tif 000015